(57)【要約】【課題】比較的簡単な回路構成及び送受信制御により、通信端末装置の低コスト化を図る。【解決手段】ファクシミリ装置１等の通信端末装置内部の直流電流供給手段９０より、半導体ＤＡＡ４０に対して直流電流を供給し、供給した直流電流が回線網８５側へ流出しないように、直流電流供給手段９０と回線網８５側との間に、直流電流分離手段３２−１，３２−２を設けている。そのため、回線Ｉ／Ｆ部３０に半導体ＤＡＡ４０を使用しているファクシミリ装置１等の通信端末装置を、直流電流が重畳されていない回線網８５（例えば、専用線）へ接続しても、通信動作が可能になる。【選択図】図１
2010171636.tif 000002
【特許請求の範囲】
【請求項１】
回線側とデータの授受を行う回線インタフェース部に、前記回線に合致する出力抵抗及び出力インピーダンスに変換する半導体ＤＡＡを備えた通信端末装置であって、
前記半導体ＤＡＡに対して直流電流を供給するための直流電流供給手段と、
前記直流電流供給手段から供給された前記直流電流における前記回線側への流出を阻止する直流電流分離手殴と、
を備えたことを特徴とする通信端末装置。
【請求項２】
前記直流電流供給手段は、前記半導体ＤＡＡに対し前記直流電流を供給して前記半導体ＤＡＡを動作させることを特徴とする請求項１記載の通信端末装置。
【請求項３】
前記直流電流分離手段は、前記直流電流供給手段から供給された前記直流電流における前記回線側への流出を阻止して通信に必要な交流信号を通過させることを特徴とする請求項１記載の通信端末装置。
【請求項４】
回線側とデータの授受を行う回線インタフェース部に、前記回線に合致する出力抵抗及び出力インピーダンスに変換する半導体ＤＡＡを備えた通信端末装置であって、
前記回線の種類を選択する選択部と、
前記半導体ＤＡＡに対して直流電流を供給するための直流電流供給手段と、
前記直流電流供給手段から供給された前記直流電流における前記回線側への流出を阻止する直流電流分離手段と、
前記選択部により選択された前記回線に応じて前記回線及び前記半導体ＤＡＡとの接続状態を切り替える回線種別切替手段と、
を備えたことを特徴とする通信端末装置。
【請求項５】
前記回線の種類は、直流電流が重畳されていない第１の回線と前記直流電流が重畳された第２の回線とであり、
前記選択部により前記第１の回線が選択されたときには、前記回線種別切替手段により前記直流電流供給手段と前記半導体ＤＡＡとの接続を行い、前記直流電流供給手段からの前記直流電流を前記半導体ＤＡＡに供給して前記半導体ＤＡＡを動作可能にさせると共に、前記直流電流分離手段により、前記直流電流供給手段から供給された前記直流電流における前記回線側への流出を阻止するよう切り替え、
前記選択部により前記第２の回線が選択されたときには、前記回線種別切替手段により前記直流電流供給手段と前記半導体ＤＡＡとの接続を行わず、前記回線側と前記半導体ＤＡＡとを接続して通信を行う構成にしたことを特徴とする請求項４記載の通信端末装置。
【請求項６】
回線側とデータの授受を行う回線インタフェース部に、前記回線に合致する出力抵抗及び出力インピーダンスに変換する半導体ＤＡＡを備えた通信端末装置であって、
前記回線の種別を選択する選択部と、
前記選択部における回線種別選択を自動的に行わせる回線種別自動認識手段と、
前記半導体ＤＡＡに対して直流電流を供給するための直流電流供給手段と、
前記直流電流供給手段から供給された前記直流電流における前記回線側への流出を阻止する直流電流分離手段と、
前記選択部により選択された前記回線に応じて前記回線及び前記半導体ＤＡＡとの接続状態を切り替える回線種別切替手段と、
を備えたことを特徴とする通信端末装置。
【請求項７】
前記回線の種類は、直流電流が重畳されていない第１の回線と前記直流電流が重畳された第２の回線とであり、
前記回線種別自動認識手段は、前記回線の種別を自動的に認識して前記選択部に前記回線を選択させ、
前記選択部により前記第１の回線が選択されたときには、前記回線種別切替手段により前記直流電流供給手段と前記半導体ＤＡＡとの接続を行い、前記直流電流供給手段からの前記直流電流を前記半導体ＤＡＡに供給して前記半導体ＤＡＡを動作可能にさせると共に、前記直流電流分離手段により、前記直流電流供給手段から供給された前記直流電流における前記回線側への流出を阻止するよう切り替え、
前記選択部により前記第２の回線が選択されたときには、前記回線種別切替手段により前記直流電流供給手段と前記半導体ＤＡＡとの接続を行わず、前記回線側と前記半導体ＤＡＡとを接続して通信を行う構成にしたことを特徴とする請求項６記載の通信端末装置。
【請求項８】
前記直流電流供給手段は、電源出力インピーダンスを大きくする電源調整回路を備えたことを特徴とする請求項１〜７のいずれか１項に記載の通信端末装置。
【請求項９】
直流電流分離手段は、抵抗及びコンデンサの直列回路により構成されていることを特徴とする請求項１〜８のいずれか１項に記載の通信端末装置。
【発明の詳細な説明】
【技術分野】
【０００１】
本発明は、回線網との回線インタフェース部（以下「回線Ｉ／Ｆ部」という。）に、半導体ＤＡＡ（Data  Access  Arrangement）を使用して通信データの授受を行う通信端末装置に関するものである。
【背景技術】
【０００２】
従来、例えば、下記の特許文献１に記載されたファクシミリ装置等の通信端末装置では、電話回線とのＩ／Ｆ部に半導体ＤＡＡを使用して通信データの授受を行っている。
【先行技術文献】
【特許文献】
【０００３】
【特許文献１】特開２００３−２９８７８７号公報
【発明の概要】
【発明が解決しようとする課題】
【０００４】
しかしながら従来の通信端末装置では、半導体ＤＡＡが、回線からの直流電流を利用して動作しているため、直流電流が重畳された公衆回線の場合は問題がないが、専用線や、回線との間に暗号機等を入れた場合のように、回線に直流電流が重畳されていないと、半導体ＤＡＡが動作しない。そのため、回線とのＩ／Ｆ部に半導体ＤＡＡを使用している通信端末装置を、専用線のような直流電流が重畳されていない回線へ接続した場合は、通信ができないという課題があった。
【課題を解決するための手段】
【０００５】
本発明における第１の発明の通信端末装置の特徴は、例えば、回路網に直流電流が重畳されていない専用線や、回線との間に暗号機等を入れた場合のような回線網を使用する場合、半導体ＤＡＡに対して、回線信号に装置内の電源からの直流電流を重畳させることである。そのため、第１の発明の通信端末装置では、回線側とデータの授受を行う回線Ｉ／Ｆ部に、前記回線に合致する出力抵抗及び出力インピーダンスに変換する半導体ＤＡＡを備えた通信端末装置であって、前記半導体ＤＡＡに対して直流電流を供給するための直流電流供給手段と、前記直流電流供給手段から供給された前記直流電流における前記回線側への流出を阻止する直流電流分離手殴とを備えている。
【０００６】
第２の発明の通信端末装置の特徴は、例えば、直流電流が重畳されている公衆回線等の回線に対しては、回線からの直流電流を用いて半導体ＤＡＡを動作させ、直流電流が重畳されていない回線に対しては、装置内の電源からの直流電流を重畳させ、半導体ＤＡＡを動作させることを特徴とする。そのため、第２の発明の通信端末装置では、回線側とデータの授受を行う回線Ｉ／Ｆ部に、前記回線に合致する出力抵抗及び出力インピーダンスに変換する半導体ＤＡＡを備えた通信端末装置であって、前記回線の種類を選択する選択部と、前記半導体ＤＡＡに対して直流電流を供給するための直流電流供給手段と、前記直流電流供給手段から供給された前記直流電流における前記回線側への流出を阻止する直流電流分離手段と、前記選択部により選択された前記回線に応じて前記回線及び前記半導体ＤＡＡとの接続状態を切り替える回線種別切替手段とを備えている。
【０００７】
第３の発明の通信端末装置の特徴は、前記第２の発明に加え、回線種別を自動的に判別し、回線種別に応じて回線からの直流電流又は装置内電源の直流電流のいずれか一方を用いることである。そのため、第３の発明の通信端末装置では、回線側とデータの授受を行う回線Ｉ／Ｆ部に、前記回線に合致する出力抵抗及び出力インピーダンスに変換する半導体ＤＡＡを備えた通信端末装置であって、前記回線の種別を選択する選択部と、前記選択部における回線種別選択を自動的に行わせる回線種別自動認識手段と、前記半導体ＤＡＡに対して直流電流を供給するための直流電流供給手段と、前記直流電流供給手段から供給された前記直流電流における前記回線側への流出を阻止する直流電流分離手段と、前記選択部により選択された前記回線に応じて前記回線及び前記半導体ＤＡＡとの接続状態を切り替える回線種別切替手段とを備えている。
【発明の効果】
【０００８】
本発明によれば、通信端末装置内部の直流電流供給手段より半導体ＤＡＡに対して直流電流を供給し、供給した直流電流が回線網側へ流出しないよう直流電流供給手段と回線網側との間に直流電流分離手段を設けたので、回線Ｉ／Ｆ部に半導体ＤＡＡを使用している通信端末装置を、直流電流が重畳されていない回線網へ接続しても、通信動作が可能になる。従って、比較的簡単な回路構成及び送受信制御により、通信端末装置の低コスト化が可能になる。
【図面の簡単な説明】
【０００９】
【図１】図１は本発明の実施例１における図２中の回線Ｉ／Ｆ部等の概略の構成を示すブロック図である。
【図２】図２は本発明の実施例１における通信端末装置（例えば、ファクシミリ装置）の全体の外観を示す斜視図である。
【図３】図３は図２の回路構成を示す概略のブロック図である。
【図４】図４は本実施例１の図１〜図３におけるファクシミリ装置の動作を示すフローチャートである。
【図５】図５は図３中における本実施例２の回線Ｉ／Ｆ部等の概略の構成を示すブロック図である。
【図６】図６は本実施例２の図２、図３及び図５におけるファクシミリ装置の動作を示すフローチャートである。
【図７】図７は図３中における本実施例３の回線Ｉ／Ｆ部及び制御部等の概略の構成を示すブロック図である。
【図８】図８は本実施例３の図２、図３及び図７におけるファクシミリ装置の動作を示すフローチャートである。
【発明を実施するための形態】
【００１０】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１１】
（実施例１の構成）
図２は、本発明の実施例１における通信端末装置の全体の外観を示す斜視図、更に、図３は、図２の回路構成を示す概略のブロック図である。
【００１２】
本実施例１の通信端末装置は、例えば、ファクシミリ装置１であり、回線網８５に接続される。ファクシミリ装置１の内部には、データバス２が設けられている。データバス２には、受信した画像を印刷する印刷部３、送信する原稿を画像データに変換する読取部４、装置の動作状況を示すための液晶（ＬＣＤ）や発光ダイオード（ＬＥＤ）等で構成された表示部５、操作部６、送信画情報と受信画情報を蓄積する画メモリ７、各種制御プログラムを記憶する読み出し専用メモリ（以下「ＲＯＭ」という。）８、随時読み書き可能なメモリ（以下「ＲＡＭ」という。）９、符号化／復号化部１０、モデム１１、及び、制御部２０等が接続されている。モデム１１には、回線網８５側とデータの授受を行う回線Ｉ／Ｆ部３０が接続されている。
【００１３】
ここで、操作部６は、ダイヤルするためのキーとしてのテンキー、各種動作をさせるためのスタート／ストップキー等で構成されている。ＲＡＭ９は、各種必要なデータ、ファクシミリ装置全体制御のワークエリア等に使用されるメモリである。符号化／復号化部１０は、送信画情報をＭＨ（modified  Huffman  code）、ＭＲ（modified  READ:modified  relative  element  address  designate）、ＭＭＲ（modified  modified  READ:relative  element  address  designate）符号化方式等の所定の符号化方式で圧縮することと、受信画情報をＭＨ、ＭＲ、ＭＭＲ復号化方式等の所定の復号化方式で伸長する機能を有している。
【００１４】
モデム１１は、回線Ｉ／Ｆ部３０を介して回線網８５に送信するファクシミリ（以下「ＦＡＸ」という。）データを変調する一方、回線Ｉ／Ｆ部３０を介して回線網８５から受信するＦＡＸデータを復調する機能を有している。制御部２０は、ＲＯＭ８に記憶された各種制御プログラムに従ってファクシミリ装置全体を制御する機能を有し、中央処理装置（以下「ＣＰＵ」という。）等により構成されている。この制御部２０により、回線Ｉ／Ｆ部３０の制御も行われる。回線Ｉ／Ｆ部３０は、制御部２０から発着呼の際に所定の網制御を行う機能を有している。
【００１５】
図１は、本発明の実施例１における図３中の回線Ｉ／Ｆ部３０等の概略の構成を示すブロック図である。
【００１６】
制御部２０は、回路Ｉ／Ｆ部３０を制御するための切替信号Ｓ２１，Ｓ２２をそれぞれ出力する直流抵抗切替指示手段２１及びインピーダンス切替指示手段２２等を有している。
【００１７】
回線Ｉ／Ｆ部３０は、回路網８５に接続される一対の端子Ｌ１，Ｌ２を有し、この端子Ｌ１，Ｌ２間に、バリスタ等のサージ防護素子３１の両端子３１Ｔ１，３１Ｔ２が接続されている。更に、両端子Ｌ１，Ｌ２には、直流電流分離手段３２−１，３２−２の一方の端子３２Ｔ１，３２Ｔ３がそれぞれ接続され、これらの直流電流分離手段３２−１，３２−２の他方の端子３２Ｔ２，３２Ｔ４に、半導体ＤＡＡ４０及び直流電流供給手段９０が接続されている。
【００１８】
各直流電流分離手段３２−１，３２−２は、直流電流供給手段９０から供給される直流電流に対し、回線網８５への流出を阻止するための回路である。一方の直流電流分離手段３２−１は、直流電流遮断用のコンデンサ３２−１ａ及び突入電流阻止用の抵抗３２−１ｂを有し、これらが両端子３２Ｔ１，３２Ｔ２間に直列に接続されている。同様に、他方の直流電流分離手段３２−２も、直流電流遮断用のコンデンサ３２−２ａ及び突入電流阻止用の抵抗３２−２ｂを有し、これらが両端子３２Ｔ３，３２Ｔ４間に直列に接続されている。なお、これらの直流電流分離手段３２−１，３２−２は、コンデンサ３２−１ａ，３２−２ａ及び抵抗３２−１ｂ，３２−２ｂによりそれぞれ構成されているが、直流電流を分離することが可能であれば、他の回路により構成しても良い。
【００１９】
直流電流分離手段３２−１，３２−２の端子３２Ｔ２，３２Ｔ４に接続された半導体ＤＡＡ４０は、複数の抵抗、及び複数のインピーダンス素子を有し、制御部２０によるプログラム制御により、複数の抵抗及び複数のインピータンス素子の内、適切な抵抗及びインピーダンス素子の組合せが選択され、各規格で要求される回線（例えば、公衆回線）に合致する出力抵抗及び出力インピーダンスに変換することを可能にするシリコン等の半導体素子である。半導体ＤＡＡ４０を使用しない場合は、トランスにて回線網８５と回線Ｉ／Ｆ部３０とが接続される。この場合は、公衆回線の各規格に沿ったトランスを搭載すれば問題はない。しかし、本実施例１のように半導体ＤＡＡ４０を使用すれば、公衆回線の各規格によらない基板とすることができる利点がある。このようにトランスにするのではなく、半導体化したものが半導体ＤＡＡ４０である。
【００２０】
この半導体ＤＡＡ４０は、例えば、各直流電流分離手段３２−１，３２−２の両端子３２Ｔ２，３２Ｔ４間に接続され、回線網８５（例えば、第２の回線である公衆回線）から供給される直流電流を整流するダイオードブリッジ５０と、このダイオードブリッジ５０の出力側に接続された回路網側回路６０と、この回路網側回路６０の出力側に接続された絶縁受渡部７０と、この絶縁受渡部７０の出力側に接続された制御部側回路８０とにより構成されている。
【００２１】
ここで、ダイオードブリッジ５０は、４つのダイオード５１〜５４を有し、これらが一対の交流入力端子５０Ｔ１，５０Ｔ２間にブリッジ接続され、その一方の交流入力端子５０Ｔ１が直流電流分離手段３２−１の端子３２Ｔ２に接続され、他方の交流入力端子５０Ｔ２が直流電流分離手段３２−２の端子３２Ｔ４に接続されている。ダイオードブリッジ５０の＋側出力端子５０Ｔ３及び−側出力端子５０Ｔ４には、回路網側回路６０が接続されている。
【００２２】
回路網側回路６０は、ダイオードブリッジ５０の＋側出力端子５０Ｔ３及び−側出力端子５０Ｔ４に接続されたハイブリッドネットワーク６１と、このハイブリッドネットワーク６１に接続されたアナログ／デジタル変換及びデジタル／アナログ変換部（以下「ＡＤ／ＤＡコンバータ部」という。）６２と、このＡＤ／ＤＡコンバータ部６２に接続された絶縁Ｉ／Ｆ部６３とにより構成されている。
【００２３】
ハイブリッドネットワーク６１は、直流抵抗切替指示手段２１から与えられる切替信号Ｓ２１により直流抵抗の切り替えを行う直流抵抗切替手段６１−１と、インピーダンス切替指示手段２２から与えられる切替信号Ｓ２２によりインピーダンスの切り替えを行うインピーダンス切替手段６１−２とにより構成されている。直流抵抗切替手段６１−１は、例えば、低直流抵抗６１−１ａ及び高直流抵抗６１−１ｂを有し、これらのいずれか一方を、切替信号Ｓ２１で動作するスイッチ６１−１ｃにより切り替えるようになっている。インピーダンス切替手段６１−２は、例えば、低インピーダンス６１−２ａ及び高インピーダンス６１−２ｂを有し、これらのいずれか一方を、切替信号Ｓ２２で動作するスイッチ６１−２ｃにより切り替えるようになっている。
【００２４】
このハイブリッドネットワーク６１には、ＡＤ／ＤＡコンバータ部６２、及び絶縁Ｉ／Ｆ部６３を介して、絶縁受渡部７０に接続されている。絶縁受渡部７０は、回線網側回路６０と制御部側回路８０とを直流的に絶縁し、且つ、データ、信号等を伝達するものである。
【００２５】
制御部側回路８０は、絶縁受渡部７０に接続された絶縁Ｉ／Ｆ部８１と、この絶縁Ｉ／Ｆ部８１に接続され、モデム１１に対してデータの送信（ＴＸ）及び受信（ＲＸ）を行う送受信インタフェース部（以下「ＴＸ／ＲＸＩＦ部」という。）８２と、絶縁Ｉ／Ｆ部８１に接続され、制御部２０に対して制御信号の授受を行う制御インタフェース部（以下「制御ＩＦ部」という。）８３等とを有している。
【００２６】
このような回路Ｉ／Ｆ部３０に対して直流電流を供給するための直流電流供給手段９０は、ファクシミリ装置１内の直流電流供給用の電源部９１と、この電源出力インピーダンスを調整（例えば、増大）する電源調整回路９２とにより構成され、この電源調整回路９２の出力側が、ダイオードブリッジ５０の交流入力端子５０Ｔ１，５０Ｔ２側に接続されている。電源調整回路９２は、回路網８５からの交流成分が電源部９１へ入り込むことを防止する回路であり、例えば、一対のチョークコイル９２ａ，９２ｂにより構成されている。
【００２７】
（実施例１の動作）
本実施例１の特徴は、回線網８５として直流電流が重畳されていない第１の回線（例えば、専用線）を使用する場合、常に，専用線に対して装置内の電源からの直流電流を重畳させ、半導体ＤＡＡ４０を動作させている。以下、図４を参照しつつ、本実施例１の動作を説明する。
【００２８】
図４は、本実施例１の図１〜図３におけるファクシミリ装置１において、相手先の送信側ファクシミリ装置から呼び出しがあり、受信側ファクリミリ装置１が自動受信に切り替わる場合の動作を示すフローチャートである。
【００２９】
ファクシミリ装置１の端子Ｌ１，Ｌ２には、例えば、直流電流が重畳されていない専用線のような回線網８５が接続されている。予め、直流抵抗切替指示手段２１及びインピーダンス切替指示手段２２から出力される切替信号Ｓ２１，Ｓ２２により、直流抵抗切替手段６１−１及びインピーダンス切替手段６１−２内のスイッチ６１−１ｃ，６１−２ｃが切り替えられて、回線網８５に対応した出力抵抗及び出力インピーダンスに設定されている。
【００３０】
ファクシミリ装置１が動作を開始し、ステップＳＴ１において、待機状態で、回線網８５からの受信開始信号の到来を待つ。
【００３１】
ステップＳＴ２において、直流電流供給手段９０にて直流電流を半導体ＤＡＡ４０に供給しているため、半導体ＤＡＡ４０は動作可能状態になっている。受信開始信号は、モデム１１にて検出する。受信開始信号が回線網８５から到来した場合、受信開始信号は端子Ｌｌ，Ｌ２から入力される。受信開始信号は、直流電流分離手段３２−１，３２−２、ダイオードブリッジ５０、及びハイブリッドネットワーク６１を経由してＡＤ／ＤＡコンバータ部６２へ伝達される。受信開始信号がＡＤ／ＤＡコンバータ部６２に伝達されると、アナログ信号である受信開始信号をＡＤ／ＤＡコンバータ部６２がデジタル信号へ変換する。デジタル信号化された受信開始信号は、回線側絶縁Ｉ／Ｆ部６３、絶縁受渡部７０、制御部側絶縁Ｉ／Ｆ部８１、及びＴＸ／ＲＸＩＦ部８２を経由して、モデム１１へ伝達される。モデム１１は、伝達されたデジタル信号化された受信開始信号の到来を検出する。
【００３２】
ステップＳＴ３において、モデム１１は、受信開始信号を検出すると、この受信開始信号が、受信開始信号の周波数範囲に合致しているか否かをチェックする。受信開始信号の周波数範囲に合致している場合は、ステップＳＴ４へ進む。
【００３３】
ステップＳＴ４において、モデム１１は、信号レベルの確認を行い、閾値以上のレベルを確保しているか否かをチェックする。閾値以上のレベルを確保していることが確認できたら、ステップＳＴ５へ進む。
【００３４】
ステップＳＴ５において、ＦＡＸ通信を開始する。ＦＡＸ通信は、ＩＴＵ（国際電気通信連合）の国際標準としての勧告に従い行う。回線網８５から到来する受信信号は、端子Ｌｌ，Ｌ２から入力される。受信信号は、直流電流分離手段３２−１，３２−２、ダイオードブリッジ５０、及びハイブリッドネットワーク６１を経由して、ＡＤ／ＤＡコンバータ部６２へ伝達される。受信信号がＡＤ／ＤＡコンバータ部６２に伝達されると、アナログ信号である受信信号がＡＤ／ＤＡコンバータ部６２でデジタル信号へ変換される。デジタル信号化された受信信号は、回線側絶縁Ｉ／Ｆ部６３、絶縁受渡部７０、制御部側絶縁Ｉ／Ｆ部８１、及びＴＸ／ＲＸＩＦ部８２を経由して、モデム１１へ伝達される。
【００３５】
回線網８５へ出力する送信信号は、モデム１１よりデジタル信号として出力される。モデム１１より出力されたデジタル信号は、ＴＸ／ＲＸＩＦ部８２、制御部側絶縁Ｉ／Ｆ部８１、絶縁受渡部７０、及び回線側絶縁Ｉ／Ｆ部６３を経由して、ＡＤ／ＤＡコンバータ部６２へ伝達される。伝達されたデジタル信号は、ＡＤ／ＤＡコンバータ部６２にてアナログ信号に変換され、ハイブリッドネットワーク６１、ダイオードブリッジ５０、及び直流電流分離手段３２−１，３２−２を経由して、端子Ｌｌ，Ｌ２へ伝達され、送信信号として回線網８５へ出力される。
【００３６】
ステップＳＴ６において、ＦＡＸ通信が完了したら、ステップＳＴ２へ戻り、次の信号の到来を待つ。
【００３７】
（実施例１の効果）
本実施例１によれば、次の（ａ）〜（ｃ）のような効果がある。
【００３８】
（ａ）  ファクシミリ装置１内部の直流電流供給手段９０より半導体ＤＡＡ４０に対して直流電流を供給し、供給した直流電流が回線網８５側へ流出しないよう直流電流供給手段９０と回線網８５側との間に直流電流分離手段３２−１，３２−２を設けたので、回線Ｉ／Ｆ部３０に半導体ＤＡＡ４０を使用しているファクシミリ装置１を、直流電流が重畳されていない回線網８５（例えば、専用線）へ接続しても、通信動作が可能になる。
【００３９】
（ｂ）  ダイオードブリッジ５０に直列で、且つこのダイオードブリッジ５０と回線網８５との間で、回線と当該装置の電源部９１からの直流電流を重畳できる特徴があるので、次のような比較例１、２に対して優位性や効果がある。
【００４０】
例えば、比較例１として、回路網８５のラインとは別の入力ラインから、電源部９１からの直流電流を直接、半導体ＤＡＡ４０へ供給する構成を想定する。この比較例１では、ダイオードブリッジ５０が働かないので、送受信信号がダイオードブリッジ５０を経由することができない。つまり、ファクシミリ装置１の送受信動作が行えないという欠点がある。
【００４１】
これを解決するための比較例２として、例えば、ダイオードブリッジ５０を経由しない別ルートの回路網ライン（即ち、ダイオードブリッジ５０を経由しないで、端子Ｌ１，Ｌ２とハイブリッドネットワーク６１との間を接続する別ルートの回路網ライン）を設け、交流信号のみを伝送する専用線に接続する場合は、ダイオードブリッジ５０を経由しない前記別ルートの回路網ラインを利用して、専用線とハイブリッドネットワーク６１との間で送受信を行う構成が考えられる。この比較例２では、ダイオードブリッジ５０とは別ルートの回路網ラインを設けなければならないので、回路構成及び送受信制御が複雑になり、結果としてファクシミリ装置がコスト高になるという欠点がある。
【００４２】
これに対し、本実施例１では、ダイオードブリッジ５０を有する通常のファクシミリ装置において、電源部９１からダイオードブリッジ５０の交流入力端子５０Ｔ１，５０Ｔ２へ、半導体ＤＡＡ駆動用の直流電流を供給すると共に、回線網８５側とダイオードブリッジ５０との間に直流電流分離手段３２−１，３２−２を設けるだけで、比較的簡単な回路構成及び送受信制御により、前記比較例１及び２の欠点を解決でき、ファクシミリ装置１の低コスト化が可能になる。
【００４３】
（ｃ）  電源部９１とダイオードブリッジ５０との間に設けた電源調整回路９２により、ダイオードブリッジ５０に対して電源出力インピーダンスを大きくできる。そのため、回路網８５からの交流成分が電源部９１側へ入り込むことを防止でき、これにより、電源電力の安定化や低ノイズ特性の向上を図ることができる。
【実施例２】
【００４４】
（実施例２の構成）
本発明の実施例２における通信端末装置（例えば、ファクシミリ装置）１の全体構成は、実施例１を示す図３中の制御部２０及び回線Ｉ／Ｆ部３０に代えて、これとは機能あるいは構成の異なる制御部２０Ａ及び回線Ｉ／Ｆ部３０Ａが設けられている点のみが異なり、他の構成は実施例１と同様である。
【００４５】
本実施例２の制御部２０Ａでは、実施例１の制御部２０における直流抵抗切替指示手段２１及びインピーダンス切替指示手段２２を有する他に、回線の種類を選択するための選択部２３が追加されている。ユーザが操作部６を操作して回線の種別を設定すると、設定された回線種別の情報が選択部２３に保存され、この保存された情報に基づき、選択部２３から切替信号Ｓ２３が出力される構成になっている。
【００４６】
図５は、図３中における本実施例２の回線Ｉ／Ｆ部３０Ａ等の概略の構成を示すブロック図であり、実施例１を示す図１の回線Ｉ／Ｆ部３０等の要素と共通の要素には共通の符号が付されている。
【００４７】
本実施例２の回線Ｉ／Ｆ部３０Ａでは、実施例１の回線Ｉ／Ｆ部３０において、半導体ＤＡＡ４０に対し、選択部２３に保存された回線種別の情報に基づいて出力される切替信号Ｓ２３により、直流電流供給手段９０と接続するか又は直流電流分離手段３２−１，３２−２を有効にするかを切り替えるための２つの回線種別切替手段（例えば、切替スイッチ）３３−１，３３−２が追加されており、その他の構成は実施例１と同様である。
【００４８】
２つの切替スイッチ３３−１，３３−２は、スイッチ用トランジスタや選択用セレクタあるいはゲート回路等によりそれぞれ構成されている。一方の切替スイッチ３３−１は、２つの端子３３Ｔ１，３３Ｔ２と、選択部２３から出力される切替信号Ｓ２３により切り替えられて端子３３Ｔ１又は３３Ｔ２のいずれか一方に接続される１つの端子３３Ｔ３とを有している。同様に、他方の切替スイッチ３３−２は、２つの端子３３Ｔ４，３３Ｔ５と、選択部２３から出力される切替信号Ｓ２３により切り替えられて端子３３Ｔ４又は３３Ｔ５のいずれか一方に接続される１つの端子３３Ｔ６とを有している。
【００４９】
一方の切替スイッチ３３−１において、端子３３Ｔ１は、回線網８５が接続される端子Ｌ１、サージ防護素子３１の端子３１Ｔ１、及び直流電流分離手段３２−１の端子３２Ｔ１に接続され、端子３３Ｔ２は、電源調整回路９２内のチョークコイル９２ａに接続され、更に、端子３３Ｔ３は、直流電流分離手段３２−１の端子３２Ｔ２、及びダイオードブリッジ５０の交流入力端子５０Ｔ１に接続されている。
【００５０】
他方の切替スイッチ３３−２において、端子３３Ｔ４は、回線網８５が接続される端子Ｌ２、サージ防護素子３１の端子３１Ｔ２、及び直流電流分離手段３２−２の端子３２Ｔ３に接続され、端子３３Ｔ５は、電源調整回路９２内のチョークコイル９２ｂに接続され、更に、端子３３Ｔ６は、直流電流分離手段３２−２の端子３２Ｔ４、及びダイオードブリッジ５０の交流入力端子５０Ｔ２に接続されている。
【００５１】
（実施例２の動作）
図６は、本実施例２の図２、図３及び図５におけるファクシミリ装置１において、相手先の送信側ファクシミリ装置から呼び出しがあり、受信側ファクリミリ装置１が自動受信に切り替わる場合の動作を示すフローチャートであり、実施例１を示す図４のフローチャート中の要素と共通の要素には共通の符号が付されている。
【００５２】
本実施例２を示す図６のフローチャートでは、実施例１を示す図４のフローチャートにおけるステップＳＴ１〜ＳＴ６の内の最初のステップＳＴ１の前に、ステップＳＴ１１〜ＳＴ１３が追加されている。
【００５３】
ファクシミリ装置１が動作を開始し、ステップＳＴ１１において、ユーザは、操作部６を操作し、ファクシミリ装置１を接続するための回線網８５の回線種別（例えば、直流電流が重畳された公衆回線、又は直流電流が重畳されていない専用線）について事前に設定する。この設定は、ファクシミリ装置１の設置時に一度だけ行われる。設定された回線種別の情報は、選択部２３に保存される。
【００５４】
選択部２３に保存された情報に基づき、設定された回線種別（例えば、公衆回線又は専用線）に対応して、直流抵抗切替指示手段２１及びインピーダンス切替指示手段２２から切替信号Ｓ２１，Ｓ２２が出力され、直流抵抗切替手段６１−１及びインピーダンス切替手段６１−２内のスイッチ６１−１ｃ，６１−２ｃが切り替えられて、回線網８５の種類に対応した出力抵抗及び出力インピーダンスに設定される。
【００５５】
ステップＳＴ１２において、制御部２０Ａは、選択部２３に保存された情報が専用線か否かをチェックする。選択部２３に保存された情報が専用線の場合は、ステップＳＴ１３へ進む。ステップＳＴ１３において、選択部２３は、専用線に対応した切替信号Ｓ２３を出力する。切替信号Ｓ２３により、切替スイッチ３３−１，３３−２が直流電流供給手段９０側に切り替えられ、ダイオードブリッジ５０及び切替スイッチ３３−１，３３−２を介して、半導体ＤＡＡ４０と直流電流供給手段９０とが接続される。これにより、直流電流供給手段９０から出力された直流電流が、切替スイッチ３３−１，３３−２、及びダイオードブリッジ５０を経由して、半導体ＤＡＡ４０へ供給され、この半導体ＤＡＡ４０が動作可能状態になる。その後、次のステップＳＴ１へ進む。
【００５６】
ステップＳＴ１２において、選択部２３に保存された情報が専用線でない公衆回線の場合は、ステップＳＴ１へ進む。このステップＳＴ１〜ステップＳＴ６までは、実施例１とほぼ同様のＦＡＸ通信動作が行われる。
【００５７】
この際、図５の回線Ｉ／Ｆ部３０Ａにおける端子Ｌ１，Ｌ２に、回線網８５として公衆回線が接続されている場合、選択部２３から出力された切替信号Ｓ２３により、切替スイッチ３３−１，３３−２が公衆回線網８５側に切り替えられ、端子Ｌ１，Ｌ２がスイッチ３３−１，３３−２を介してダイオードブリッジ５０の交流入力端子５０Ｔ１，５０Ｔ２に接続される。そのため、公衆回線から、直流電流が重畳された受信開始信号が端子Ｌ１，Ｌ２に到来すると、その受信開始信号がダイオードブリッジ５０で直流電流に整流され、整流された直流電流により半導体ＤＡＡ４０が動作可能状態になる。そして、整流された直流電流中のＦＡＸ信号に対し、半導体ＤＡＡ等により、実施例１と同様のＦＡＸ通信が行われる。
【００５８】
（実施例２の効果）
本実施例２によれば、実施例１とほぼ同様の効果がある。更に、本実施例２では、回線網８５の種類を選択するための選択部２３と、選択された回線に応じて回線網８５と半導体ＤＡＡ４０との接続状態と半導体ＤＡＡ４０と直流電流供給手段９０との接続状態を切り替える回線種別切替手段である切替スイッチ３３−１，３３−２とを、実施例１に対して追加している。そのため、切替スイッチ３３−１，３３−２の切り替えにより、回線Ｉ／Ｆ部３０Ａに半導体ＤＡＡ４０を使用しているファクシミリ装置１を、直流電流が重畳されていないような専用線へ接続しても、ＦＡＸ通信の動作が可能になる上、切替スイッチ３３−１，３３−２の切り替えにより、公衆回線へのＦＡＸ通信の動作も可能になる。
【実施例３】
【００５９】
（実施例３の構成）
本発明の実施例３における通信端末装置（例えば、ファクシミリ装置）１の全体構成は、実施例２を示す図２中の制御部２０Ａに代えて、これとは機能の異なる制御部２０Ｂが設けられている点のみが異なり、他の構成は実施例２と同様である。
【００６０】
図７は、図３中における本実施例３の回線Ｉ／Ｆ部３０Ａ及び制御部２０Ｂ等の概略の構成を示すブロック図であり、実施例２を示す図５の回線Ｉ／Ｆ部３０Ａ及び制御部２０Ａ等の要素と共通の要素には共通の符号が付されている。
【００６１】
本実施例３の制御部２０Ｂでは、実施例２の制御部２０Ａにおける直流抵抗切替指示手段２１、インピーダンス切替指示手段２２、及び選択部２３を有する他に、回線の種別（例えば、公衆回線又は専用線）を自動的に認識してその選択部２３に回線を選択させる回線種別自動認識手段２４が追加されている。
【００６２】
（実施例３の動作）
図８は、本実施例３の図２、図３及び図７におけるファクシミリ装置１において、相手先の送信側ファクシミリ装置から呼び出しがあり、受信側ファクリミリ装置１が自動受信に切り替わる場合の動作を示すフローチャートであり、実施例２を示す図６のフローチャート中の要素と共通の要素には共通の符号が付されている。
【００６３】
本実施例３を示す図８のフローチャートでは、実施例２を示す図６のフローチャートにおけるステップＳＴ１１に代えて、ステップＳＴ２１〜ＳＴ２３が設けられている。
【００６４】
ファクシミリ装置１が動作を開始し、ステップＳＴ２１において、回線種別自動認識手段２４は、端子Ｌｌ，Ｌ２に接続されている回線網８５の種別（例えば、直流電流が重畳されていない専用線又は直流電流が重畳された公衆回線）を自動的に判別する。判別方法として、例えば、回線網８５の電圧を検出して電圧の印加が認められた場合は公衆回線と判別し、電圧の印加が認められない場合は専用線と判別する。この判別方法は一例であり、回線種別の判別ができる方法（例えば、公衆回線におけるダイヤルトーン信号の検出等）であれば別の方法でも良い。
【００６５】
専用線と判別した場合は、ステップＳＴ２２において、回線種別の情報「専用線」を選択部２３に保存し、公衆回線と判別した場合は、ステップＳＴ２３において、回線種別の情報「公衆回線」を選択部２３に保存する。実施例２と同様に、選択部２３に保存された情報に基づき、設定された回線種別（例えば、公衆回線又は専用線）に対応して、直流抵抗切替指示手段２１及びインピーダンス切替指示手段２２から切替信号Ｓ２１，Ｓ２２が出力され、直流抵抗切替手段６１−１及びインピーダンス切替手段６１−２内のスイッチ６１−１ｃ，６１−２ｃが切り替えられて、回線網８５の種類に対応した出力抵抗及び出力インピーダンスに設定される。
【００６６】
ステップＳＴ２２，ＳＴ２３の処理の後、ステップＳＴ１２へ進み、実施例２と同様に、制御部２０Ｂは、選択部２３に保存された情報が専用線か公衆回線かのチェックを行い、その後は、実施例２と同様のステップＳＴ１３，ＳＴ１〜ＳＴ６が順に実行される。
【００６７】
（実施例３の効果）
本実施例３によれば、実施例１とほぼ同様の効果がある。更に、本実施例３では、実施例２に対し、回線網８５の種別を自動的に認識する回線種別自動認識手段２４を設け、この認識結果により選択部２３に回線を選択させる構成にしたので、ユーザが操作部６を操作して回線種別を選択部２３に設定する必要が無く、その回線種別の選択部２３への設定が自動的に行われる。そのため、回線種別切替手段である切替スイッチ３２−１，３２−２の切り替えにより、回線Ｉ／Ｆ部３０Ａに半導体ＤＡＡ４０を使用しているファクシミリ装置１を、直流電流が重畳されていないような専用線へ接続しても、ＦＡＸ通信の動作が可能になる上、切替手スイッチ３２−１，３２−２の切り替えにより、公衆回線への通信動作も可能になり、使い勝手が更に良くなる。
【００６８】
（変形例）
本発明は、上記実施例に限定されず、種々の利用形態や変形が可能である。この利用形態や変形例としては、例えば、次の（１）〜（３）のようなものがある。
【００６９】
（１）  図３のファクシミリ装置１の全体構成を図示以外の構成に変更したり、ファクシミリ装置１中の図１、図５、図７の制御部２０，２０Ａ，２０Ｂ、回線Ｉ／Ｆ部３０，３０Ａ、あるいは直流電流供給手段９０を図示以外の構成に変更しても良い。
【００７０】
（２）  例えば、直流電流供給手段９１における電源調整回路９２において、各チョークコイル９２ａ，９２ｂに対して短絡用のスイッチを並列に接続したり、あるいは、各チョークコイル９２ａ，９２ｂに対して抵抗及びコンデンサ等のインピーダンス素子を並列に接続して、電源調整回路９２のインピーダンスを可変可能な構成にすれば、ダイオードブリッジ５０に対する電源出力インピーダンスの調整が容易になる。又、電源調整回路９２を前記のようなチョークコイル９２ａ，９２ｂ等を使用しないで、他の素子を用いて構成しても良い。その他、電源調整回路９２は、電源電流を増幅する構成にしたり、あるいは、回路Ｉ／Ｆ部３０内に設ける構成に変更しても良い。
【００７１】
（３）  実施例１〜３では、通信端末装置としてファクシミリ装置１について説明したが、本発明は、ＦＡＸ機能を内蔵した電話機や複合機等の回線網８５に接続して使用する種々の通信端末装置に適用が可能である。
【符号の説明】
【００７２】
１      ファクシミリ装置
２０，２０Ａ，２０Ｂ      制御部
２１      直流抵抗切替指示手段
２２      インピーダンス切替指示手段
２３      選択部
２４      回線種別自動認識手段
３０，３０Ａ      回線Ｉ／Ｆ部
３２−１，３２−２      直流電流分離手段
３３−１，３３−２      切替スイッチ
４０      半導体ＤＡＡ
５０      ダイオードブリッジ
６０      回路網側回路
６１      ハイブリッドネットワーク
６１−１      直流抵抗切替手段
６１−２      インピーダンス切替手段
７０      絶縁受渡部
８０      制御部側回路
８５      回路網
９０      直流電流供給手段
【図１】
2010171636.tif 000003
【図２】
2010171636.tif 000004
【図３】
2010171636.tif 000005
【図４】
2010171636.tif 000006
【図５】
2010171636.tif 000007
【図６】
2010171636.tif 000008
【図７】
2010171636.tif 000009
【図８】
2010171636.tif 000010